(57)【要約】【課題】内線端末（例えば、多機能電話機）相互間で、着信鳴動指示のタイミングがずれても、着信鳴動の開始と終了を同期させ、着信鳴動が違和感なく聞こえる電話交換システムを提供する。【解決手段】定期的に内線端末（多機能電話機ＴＥＬ11〜ＴＥＬpn）の着信鳴動の鳴動および鳴動停止のインターを同期させるための同期情報ＪSを出力するとともに、着信呼を受信した場合、該当する内線端末（多機能電話機ＴＥＬ11〜ＴＥＬpn）に、着信鳴動指示ＭRを出力する制御装置５を備えた構内交換機２と、構内交換機２から供給される同期情報ＪSに着信音の鳴動開始タイミングを合わせ、着信鳴動を実行する着信鳴動同期手段６を備えた複数の内線端末（多機能電話機ＴＥＬ11〜ＴＥＬpn）とから構成する。【選択図】図１
2007306376.tif 000002
【特許請求の範囲】
【請求項１】
構内交換機と、前記構内交換機が収容する複数の内線端末と、から構成され、前記構内交換機が受信した着信呼を前記内線端末から着信鳴動させ、着信を報知する電話交換システムにおいて、
前記構内交換機は、定期的に前記内線端末の着信鳴動の鳴動および鳴動停止のインターを同期させるための同期情報を出力するとともに、着信呼を受信した場合、該当する前記内線端末に着信鳴動指示を出力する制御装置を備え、
前記複数の内線端末は、前記構内交換機から供給される同期情報に着信音の鳴動開始タイミングを合わせ、着信鳴動を実行する着信鳴動同期手段を備えたことを特徴とする電話交換システム。
【請求項２】
前記着信鳴動同期手段は、基準クロックを発生する基準クロック発生手段、基準クロックを分周して一定タイミングクロックを発生する分周手段、前記分周手段からの一定タイミングクロックをカウントして所定周期の周期性タイミングをカウントする周期性タイミングカウンタ、着信鳴動指示に基づいて周期性タイミングに対応させた整数分の１（１／ｎ）周期の鳴動周期タイミングをカウントする鳴動周期カウンタ、鳴動周期を鳴動および鳴動停止のインターにして、着信鳴動パターンを発生する着信鳴動パターン発生手段、前記構内交換機からの同期情報に基づいて前記周期性タイミングカウンタをリセットするリセット手段を備えたことを特徴とする請求項１記載の電話交換システム。
【請求項３】
前記周期性タイミングカウンタは、周期性タイミング周期を変更可能なことを特徴とする請求項２記載の電話交換システム。
【請求項４】
前記鳴動周期カウンタは、鳴動周期タイミング周期を変更可能なことを特徴とする請求項２記載の電話交換システム。
【請求項５】
構内交換機と、前記構内交換機が収容する複数の内線端末と、から構成され、前記構内交換機が受信した着信呼を前記内線端末から着信鳴動させる電話交換システムの着信鳴動同期方法であって、
構内交換機から同期情報を受信するステップＳ１と、
同期情報に基づいて全内線端末が周期性タイミングカウンタをリセットし、周期性タイミングの同期を取るステップＳ２と、
周期性タイミングに対応させた整数分の１（１／ｎ）周期の鳴動周期タイミングを発生するステップＳ３と、
構内交換機から着信鳴動指示を受信するステップＳ４と、
着信鳴動指示の開始タイミングが鳴動周期タイミングに一致するか否かを判定するステップＳ５と、
一致する場合には、鳴動周期を鳴動および鳴動停止のインターにして、着信鳴動パターンで着信鳴動を発生するステップＳ６と、
一致しない場合には、鳴動周期タイミングの初期値まで待機させ、着信鳴動パターンで着信鳴動を発生するステップＳ７と、
着信呼に応答すると、着信鳴動を停止するステップＳ８と、
を備えたことを特徴とする電話交換システムの着信鳴動同期方法。
【発明の詳細な説明】
【技術分野】
【０００１】
本発明は外線着信時に構内交換機が内線端末（例えば、多機能電話機）を着信鳴動させる電話交換システムに係り、特に多機能電話機間の着信のタイミングがずれても、多機能電話機相互間の鳴動および鳴動停止を同期させ、着信鳴動が違和感なく聞こえる電話交換システムに関する。
【背景技術】
【０００２】
従来の構内交換機において、外線から着信があった旨を知らせる着信鳴動制御方式は、様々なものがあり、例えば「特許文献１」や「特許文献２」などで公開されている。いずれも着信先を識別して該当する内線電話機に対して着信を知らせるために着信鳴動を行っている。
【特許文献１】特開平１０−９４００２号公報
【特許文献２】特開２００３−９１９８号公報
【発明の開示】
【発明が解決しようとする課題】
【０００３】
外線からの着信にて、複数の多機能電話機に収容されている回線釦（外線を識別するための釦）に対して着信表示および着信鳴動を行いたい場合、予め登録されている着信鳴動対象の多機能電話機個々に対して着信鳴動指示をライン回路経由で行っている。
【０００４】
ライン回路は、接続されている多機能電話機間で着信鳴動のタイミングがずれないように制御されている。
【０００５】
しかし、近年、構内交換機は、多機能電話機に対して着信通知を行う場合に、着信鳴動指示以外にも発信者を特定するため、発信者の電話番号および発信者の名称等の情報通知を行い、通知された情報によって着信鳴動を制御する動作や、多機能電話機の表示器に発信者を特定するための表示内容を通知する機能などライン回路経由で多機能電話機に通知する情報が増加している。
【０００６】
そのことにより、従来では、ライン回路にて着信鳴動のタイミングがずれないように制御されているため、多機能電話機が着信鳴動指示を受け取った時点から着信鳴動を開始しても着信鳴動パターンがずれることはなかったが、通知する情報量が増加したことにより、構内交換機の制御装置からライン回路に対して着信鳴動指示を行うタイミングがライン回路単位でずれが生じ、多機能電話機個々に届く着信鳴動指示がずれてしまう。
【０００７】
例えば、図９に従来の内線端末の着信鳴動の例を示す。図９において、端末Ａは、着信鳴動指示を受信したタイミングで、着信鳴動パターンに従って鳴動を開始するが、端末Ｂは、着信鳴動指示のタイミングがずれていることにより、端末Ａと着信鳴動パターンのタイミングが同期できなくなる。端末Ｃも同様に着信鳴動パターンのタイミングが同期できなくなる。
【０００８】
このような、着信鳴動パターンのタイミングのずれにより、端末Ａ、端末Ｂおよび端末Ｃが着信鳴動すると、周囲にいるユーザに耳障りな着信音が聞こえ、違和感を与える課題がある。
【０００９】
この発明はこのような課題を解決するためになされたもので、その目的は内線端末（例えば、多機能電話機）相互間で、着信鳴動指示のタイミングがずれても、着信鳴動の開始と終了を同期させ、着信鳴動が違和感なく聞こえる電話交換システムを提供することにある。
【課題を解決するための手段】
【００１０】
前記課題を解決するためこの発明に係る電話交換システムは、構内交換機と、構内交換機が収容する複数の内線端末とから構成され、構内交換機が受信した着信呼を内線端末から着信鳴動させ、着信を報知する電話交換システムにおいて、構内交換機は、定期的に内線端末の着信鳴動の鳴動および鳴動停止のインターを同期させるための同期情報を出力するとともに、着信呼を受信した場合、該当する前記内線端末に、着信鳴動指示を出力する制御装置を備え、複数の内線端末は、構内交換機から供給される同期情報に着信音の鳴動開始タイミングを合わせ、着信鳴動を実行する着信鳴動同期手段を備えたことを特徴とする。
【００１１】
この発明に係る電話交換システムにおいて、構内交換機は、定期的に内線端末の着信鳴動の鳴動および鳴動停止のインターを同期させるための同期情報を出力するとともに、着信呼を受信した場合、該当する内線端末に、着信鳴動指示を出力する制御装置を備え、複数の内線端末は、構内交換機から供給される同期情報に着信音の鳴動開始タイミングを合わせ、着信鳴動を実行する着信鳴動同期手段を備えたので、同期情報に基づいて複数の内線端末の着信鳴動に関する同期を取り、着信鳴動指示を受信するタイミングが異なっても、着信鳴動の鳴動（着信音発生）と鳴動停止（着信音停止）のインター（時間間隔）を着信鳴動している全ての内線端末で一致させることができる。
【００１２】
また、この発明に係る着信鳴動同期手段は、基準クロックを発生する基準クロック発生手段、基準クロックを分周して一定タイミングクロックを発生する分周手段、分周手段からの一定タイミングクロックをカウントして所定周期の周期性タイミングをカウントする周期性タイミングカウンタ、着信鳴動指示に基づいて周期性タイミングに対応させた整数分の１（１／ｎ）周期の鳴動周期タイミングをカウントする鳴動周期カウンタ、鳴動周期を鳴動および鳴動停止のインターにして、着信鳴動パターンを発生する着信鳴動パターン発生手段、構内交換機からの同期情報に基づいて周期性タイミングカウンタをリセットするリセット手段を備えたことを特徴とする。
【００１３】
この発明に係る着信鳴動同期手段は、基準クロックを発生する基準クロック発生手段、基準クロックを分周して一定タイミングクロックを発生する分周手段、分周手段からの一定タイミングクロックをカウントして所定周期の周期性タイミングをカウントする周期性タイミングカウンタ、着信鳴動指示に基づいて周期性タイミングに対応させた整数分の１（１／ｎ）周期の鳴動周期タイミングをカウントする鳴動周期カウンタ、鳴動周期を鳴動および鳴動停止のインターにして、着信鳴動パターンを発生する着信鳴動パターン発生手段、構内交換機からの同期情報に基づいて周期性タイミングカウンタをリセットするリセット手段を備えたので、構内交換機から供給される同期情報で周期性タイミングカウンタをリセットすることにより、内線端末相互間の同期を取り、構内交換機から供給される着信鳴動指示に基づいて内線端末相互間の着信鳴動パターンを一致することができる。
【００１４】
さらに、この発明に係る周期性タイミングカウンタは、周期性タイミング周期を変更可能なことを特徴とする。
【００１５】
また、この発明に係る鳴動周期カウンタは、鳴動周期タイミング周期を変更可能なことを特徴とする。
【００１６】
この発明に係る周期性タイミングカウンタは、周期性タイミング周期を変更可能であり、鳴動周期カウンタは、鳴動周期タイミング周期を変更可能なので、着信鳴動パターンを任意に設定することができる。
【００１７】
さらに、この発明に係る電話交換システムの着信鳴動同期方法は、構内交換機と、構内交換機が収容する複数の内線端末と、から構成され、構内交換機が受信した着信呼を内線端末から着信鳴動させる電話交換システムの着信鳴動同期方法であって、構内交換機から同期情報を受信するステップＳ１と、同期情報に基づいて全内線端末が周期性タイミングカウンタをリセットし、周期性タイミングの同期を取るステップＳ２と、周期性タイミングに対応させた整数分の１（１／ｎ）周期の鳴動周期タイミングを発生するステップＳ３と、構内交換機から着信鳴動指示を受信するステップＳ４と、着信鳴動指示の開始タイミングが鳴動周期タイミングに一致するか否かを判定するステップＳ５と、一致する場合には、鳴動周期を鳴動および鳴動停止のインターにして、着信鳴動パターンで着信鳴動を発生するステップＳ６と、一致しない場合には、鳴動周期タイミングの初期値まで待機させ、着信鳴動パターンで着信鳴動を発生するステップＳ７と、着信呼に応答すると、着信鳴動を停止するステップＳ８とを備えたことを特徴とする。
【００１８】
この発明に係る電話交換システムの着信鳴動同期方法は、構内交換機から同期情報を受信するステップＳ１と、同期情報に基づいて全内線端末が周期性タイミングカウンタをリセットし、周期性タイミングの同期を取るステップＳ２と、周期性タイミングに対応させた整数分の１（１／ｎ）周期の鳴動周期タイミングを発生するステップＳ３と、構内交換機から着信鳴動指示を受信するステップＳ４と、着信鳴動指示の開始タイミングが鳴動周期タイミングに一致するか否かを判定するステップＳ５と、一致する場合には、鳴動周期を鳴動および鳴動停止のインターにして、着信鳴動パターンで着信鳴動を発生するステップＳ６と、一致しない場合には、鳴動周期タイミングの初期値まで待機させ、着信鳴動パターンで着信鳴動を発生するステップＳ７と、着信呼に応答すると、着信鳴動を停止するステップＳ８とを備えたので、同期情報に基づいて複数の内線端末の着信鳴動に関する同期を取り、着信鳴動指示を受信するタイミングが異なっても、着信鳴動の鳴動（着信音発生）と鳴動停止（着信音停止）のインター（時間間隔）を着信鳴動している全ての内線端末で一致させることができる。
【発明の効果】
【００１９】
この発明に係る電話交換システムにおいて、構内交換機は、定期的に内線端末の着信鳴動の鳴動および鳴動停止のインターを同期させるための同期情報を出力するとともに、着信呼を受信した場合、該当する内線端末に、着信鳴動指示を出力する制御装置を備え、複数の内線端末は、構内交換機から供給される同期情報に着信音の鳴動開始タイミングを合わせ、着信鳴動を実行する着信鳴動同期手段を備えたので、同期情報に基づいて複数の内線端末の着信鳴動に関する同期を取り、着信鳴動指示を受信するタイミングが異なっても、着信鳴動の鳴動（着信音発生）と鳴動停止（着信音停止）のインター（時間間隔）を着信鳴動している全ての内線端末で一致させることができ、着信鳴動の鳴動（着信音）と鳴動停止（着信音停止）の区別が明確になり、違和感のない着信鳴動を聞くことが可能になる。
【００２０】
また、この発明に係る着信鳴動同期手段は、基準クロックを発生する基準クロック発生手段、基準クロックを分周して一定タイミングクロックを発生する分周手段、分周手段からの一定タイミングクロックをカウントして所定周期の周期性タイミングをカウントする周期性タイミングカウンタ、着信鳴動指示に基づいて周期性タイミングに対応させた整数分の１（１／ｎ）周期の鳴動周期タイミングをカウントする鳴動周期カウンタ、鳴動周期を鳴動および鳴動停止のインターにして、着信鳴動パターンを発生する着信鳴動パターン発生手段、構内交換機からの同期情報に基づいて周期性タイミングカウンタをリセットするリセット手段を備えたので、構内交換機から供給される同期情報で周期性タイミングカウンタをリセットすることにより、内線端末相互間の同期を取り、構内交換機から供給される着信鳴動指示に基づいて内線端末相互間の着信鳴動パターンを一致することができ、内線端末相互間で着信鳴動指示を受信するタイミングが異なっても、着信鳴動を一致させることができる。
【００２１】
さらに、この発明に係る周期性タイミングカウンタは、周期性タイミング周期を変更可能であり、鳴動周期カウンタは、鳴動周期タイミング周期を変更可能なので、着信鳴動パターンを任意に設定することができ、着信鳴動の自由度を広げることができる。
【００２２】
また、この発明に係る電話交換システムの着信鳴動同期方法は、構内交換機から同期情報を受信するステップＳ１と、同期情報に基づいて全内線端末が周期性タイミングカウンタをリセットし、周期性タイミングの同期を取るステップＳ２と、周期性タイミングに対応させた整数分の１（１／ｎ）周期の鳴動周期タイミングを発生するステップＳ３と、構内交換機から着信鳴動指示を受信するステップＳ４と、着信鳴動指示の開始タイミングが鳴動周期タイミングに一致するか否かを判定するステップＳ５と、一致する場合には、鳴動周期を鳴動および鳴動停止のインターにして、着信鳴動パターンで着信鳴動を発生するステップＳ６と、一致しない場合には、鳴動周期タイミングの初期値まで待機させ、着信鳴動パターンで着信鳴動を発生するステップＳ７と、着信呼に応答すると、着信鳴動を停止するステップＳ８とを備えたので、同期情報に基づいて複数の内線端末の着信鳴動に関する同期を取り、着信鳴動指示を受信するタイミングが異なっても、着信鳴動の鳴動（着信音発生）と鳴動停止（着信音停止）のインター（時間間隔）を着信鳴動している全ての内線端末で一致させることができ、着信鳴動の鳴動（着信音発生）と鳴動停止（着信音停止）の区別が明確になり、違和感のない着信鳴動を聞くことが可能になる。
【発明を実施するための最良の形態】
【００２３】
以下、この発明の実施の形態を添付図面に基づいて説明する。図１はこの発明に係る電話交換システムの一実施の形態システム構成図である。図１において、電話交換システム１は、構内交換機２と、内線端末としての複数の多機能電話機ＴＥＬ11〜ＴＥＬpnと、構内交換機２が接続される公衆網ＮＴとから構成されている。
【００２４】
構内交換機２は、通話路スイッチ３、記憶装置４、制御装置５、多機能電話機ＴＥＬ11〜ＴＥＬpnを収容するディジタルライン回路ＤＬ1〜ＤＬP、公衆網ＮＴ（公衆回線）を収容する局線トランクＣＯＴおよびディジタル局線トランクＢＲＩを備える。なお、通話路スイッチ３、記憶装置４および制御装置５は、制御バスＢＵを介して接続されている。
【００２５】
通話路スイッチ３は、記憶装置４の制御により、ディジタルライン回路ＤＬ1〜ＤＬP相互間の内線通話路、ディジタルライン回路ＤＬ1〜ＤＬPと局線トランクＣＯＴおよびディジタル局線トランクＢＲＩとの間の外線通話路を形成する。
【００２６】
記憶装置４は、ＥＥＰＲＯＭやフラッシュＲＯＭなどの固定および書換え可能なメモリで構成し、各種局データ、データテーブル、シーケンスプログラムなどを記憶し、制御装置５の制御により、各種データを出力し、格納する。
【００２７】
制御装置５は、マイクロプロセッサを基本に構成し、システム全体の動作を制御する。
【００２８】
また、制御装置５は、定期的に着信鳴動の鳴動および鳴動停止のインターを同期させるための同期情報ＪSをディジタルライン回路ＤＬ1〜ＤＬPを介して多機能電話機ＴＥＬ11〜ＴＥＬpnに送信する制御を実行する。
【００２９】
さらに、制御装置５は、局線トランクＣＯＴまたはディジタル局線トランクＢＲＩが公衆網ＮＴからの外線着信呼を検出して、着信呼を通知してくると、着信先の多機能電話機ＴＥＬ11〜ＴＥＬpnと、多機能電話機ＴＥＬ11〜ＴＥＬpnが収容されているディジタルライン回路ＤＬ1〜ＤＬPの対応テーブルを記憶装置４から検索し、ディジタルライン回路ＤＬ1〜ＤＬPを介して該当する多機能電話機ＴＥＬ11〜ＴＥＬpnに着信鳴動指示ＭRを送信し、該当する多機能電話機ＴＥＬ11〜ＴＥＬpnの着信鳴動を制御する。
【００３０】
また、制御装置５は、着信呼に含まれる発信元電話番号、発信者の名前、該当する多機能電話機ＴＥＬ11〜ＴＥＬpnを呼び出すため、着信色などの情報を対応するディジタルライン回路ＤＬ1〜ＤＬPを介して送信する。
【００３１】
ディジタルライン回路ＤＬ1〜ＤＬPは、それぞれ多機能電話機ＴＥＬ11〜ＴＥＬ1n、…、ＴＥＬK1〜ＴＥＬKn、…、ＴＥＬP1〜ＴＥＬPnを収容する。
【００３２】
内線端末を構成する多機能電話機ＴＥＬ11〜ＴＥＬpnは、構内交換機２からディジタルライン回路ＤＬ1〜ＤＬPを介して定期的に送信されてくる同期情報ＪSを受信すると、着信鳴動の鳴動（着信音発生）および鳴動停止（着信音停止）のインター（時間間隔：後述する着信鳴動パターンＰR）を同期させ、多機能電話機毎に構内交換機２からの着信鳴動指示ＭRを受信するタイミングが異なっても、着信鳴動の鳴動（着信音発生）および鳴動停止（着信音停止）のインター（時間間隔）を同じにする。
【００３３】
例えば、ディジタルライン回路ＤＬ1に収容される多機能電話機ＴＥＬ11〜ＴＥＬ1nの多機能電話機ＴＥＬ11が着信鳴動指示ＭRを受信して着信鳴動を開始した後、遅れたタイミングで多機能電話機ＴＥＬ12が着信鳴動指示ＭRを受信して着信鳴動を開始し、さらに遅れたタイミングで多機能電話機ＴＥＬ1nが着信鳴動指示ＭRを受信して着信鳴動を開始したようなケースでも、着信鳴動の鳴動（着信音発生）および鳴動停止（着信音停止）のインター（時間間隔：着信鳴動パターンＰR）が３者間で同期しているため、３者の鳴動（着信音発生）が共通する期間があっても、例えば１秒鳴動して１秒鳴動停止することになるように構成する。
【００３４】
このようにするため、多機能電話機ＴＥＬ11〜ＴＥＬpnは、それぞれ構内交換機２から供給される同期情報ＪSに同期するとともに、着信鳴動指示ＭRを受信するタイミングが異なっても、鳴動（着信音発生）および鳴動停止（着信音停止）のインター（時間間隔）を同期させた着信鳴動を実行する着信鳴動同期手段を備える。以下、多機能電話機について説明する。
【００３５】
図２はこの発明に係る多機能電話機の一実施の形表面外観図である。なお、多機能電話機ＴＥＬ11〜ＴＥＬpnは、同一構成、同一機能なので、多機能電話機ＴＥＬ11について説明する。図２において、多機能電話機ＴＥＬ11は、通話を行うためのハンドセットＨＳ、着信呼の相手電話番号や名前などを表示する表示器ＤＹ、着信があるとランプが所定の色で点滅するランプ付き回線釦ＢＬ、着信の鳴動（着信音）を発生するスピーカＳＰなどから構成されている。
【００３６】
図３はこの発明に係る多機能電話機の着信鳴動同期手段の一実施の形態要部ブロック構成図である。なお、多機能電話機の電話機制御装置ならびに電話機記憶措置などは、省略する。図３において、着信鳴動同期手段６は、基準クロック発生手段７、分周手段８、周期性タイミングカウンタ９、鳴動周期カウンタ１０、着信鳴動パターン発生手段１１およびリセット手段１２を備える。
【００３７】
基準クロック発生手段７は、水晶発振回路などで構成し、比較的高周波の基準クロックＣLKを発生し、基準クロックＣLKを分周手段８に供給する。
【００３８】
分周手段８は、分周回路で構成し、基準クロック発生手段７から供給される基準クロックＣLKを分周して、比較的低周波の一定タイミングクロックＣLT（例えば、デューティ比５０％、一周期６４ｍｓ）を発生し、タイミングクロックＣLTを周期性タイミングカウンタ９に提供する。
【００３９】
周期性タイミングカウンタ９は、分周手段８から提供される一定タイミングクロックＣLTをカウントし、例えば一周期６ｓ（０〜９５カウント：６４ｍｓ×９６＝６．１４４ｓ）の周期性タイミングＴSを繰り返しカウントする。
【００４０】
なお、周期性タイミングカウンタ９は、周期性タイミングＴSの一周期を９６カウントの６ｓ（秒）に設定したが、この設定は、着信鳴動の鳴動（発信音発生）が１ｓ（１秒）、鳴動停止（発信音停止）が１ｓ（１秒）のインターが２ｓ（秒）のものと、着信鳴動の鳴動が１ｓ（１秒）、鳴動停止が２ｓ（２秒）のインター（着信鳴動パターンＰR）が３ｓ（秒）のものの最小公倍数６ｓ（秒）としたもので、周期性タイミングＴSの周期を任意に設定してもよい。
【００４１】
また、周期性タイミングカウンタ９は、構内交換機２から受信した同期情報ＪSに基づいてリセット手段１２からリセット情報ＪRが供給された場合には、カウントをリセットし、再度０から周期性タイミングＴSのカウントを開始する。
【００４２】
なお、多機能電話機ＴＥＬ11〜ＴＥＬpnの全てにおいて、同期情報ＪSによって周期性タイミングカウンタ９をリセットし、再度０から周期性タイミングＴSのカウントを開始することにより、多機能電話機ＴＥＬ11〜ＴＥＬpnの同期を取ることができる。
【００４３】
鳴動周期カウンタ１０は、構内交換機２から受信した着信鳴動指示ＭRに基づいて周期性タイミングＴSに対応させた整数分の１（１／ｎ）周期の鳴動周期タイミングＴR（例えば、０〜３１カウント）をカウントし、鳴動周期タイミングＴRを着信鳴動パターン発生手段１１に提供する。
【００４４】
なお、鳴動周期カウンタ１０は、鳴動周期タイミングＴRの一周期を３２カウントの２ｓ（秒）に設定したが、周期性タイミングＴSの整数分の１（１／ｎ）周期である限り、鳴動周期タイミングＴRの周期を任意に設定してもよい。
【００４５】
着信鳴動パターン発生手段１１は、鳴動周期カウンタ１０から提供される鳴動周期タイミングＴR（０〜３１カウント）を一周期として、１／２周期が鳴動（着信音発生）および１／２周期が鳴動停止（着信音停止）の着信鳴動パターンＰRを発生し、この着信鳴動パターンＰRで着信音発生器（図示せず）の着信音の発生をコントロールする。
【００４６】
リセット手段１２は、構内交換機２からの同期情報ＪSを受信すると、リセット情報ＪRを周期性タイミングカウンタ９に提供し、周期性タイミングカウンタ９をリセットさせる。
【００４７】
このように、この発明に係る着信鳴動同期手段６は、基準クロックＣLKを発生する基準クロック発生手段７、基準クロックＣLKを分周して一定タイミングクロックＣLTを発生する分周手段８、分周手段８からの一定タイミングクロックＣLTをカウントして所定周期の周期性タイミングＴSをカウントする周期性タイミングカウンタ９、着信鳴動指示ＭRに基づいて周期性タイミングＴSに対応させた整数分の１（１／ｎ）周期の鳴動周期タイミングＴRをカウントする鳴動周期カウンタ１０、鳴動周期を鳴動および鳴動停止のインターにして、着信鳴動パターンＰRを発生する着信鳴動パターン発生手段１１、構内交換機２からの同期情報ＪSに基づいて周期性タイミングカウンタ９をリセットするリセット手段１２を備えたので、構内交換機２から供給される同期情報ＪSで周期性タイミングカウンタ９をリセットすることにより、内線端末（多機能電話機ＴＥＬ11〜ＴＥＬpn）相互間の同期を取り、構内交換機２から供給される着信鳴動指示ＭRに基づいて内線端末（多機能電話機ＴＥＬ11〜ＴＥＬpn）相互間の着信鳴動パターンＰRを一致することができ、内線端末相互間で着信鳴動指示ＭRを受信するタイミングが異なっても、着信鳴動を一致させることができる。
【００４８】
また、この発明に係る周期性タイミングカウンタ９は、周期性タイミングＴS周期を変更可能であり、鳴動周期カウンタ１０は、鳴動周期タイミングＴR周期を変更可能なので、着信鳴動パターンＰRを任意に設定することができ、着信鳴動の自由度を広げることができる。
【００４９】
図４はこの発明に係る多機能電話機が着信鳴動指示を受信するまでの一実施の形態シーケンス図である。図４において、公衆網ＮＴ（公衆回線）からの着信呼を局線トランクＣＯＴまたはディジタル局線トランクＢＲＩが検出すると、制御装置５に着信呼が通知される。
【００５０】
着信呼を認識した制御装置５は、着信鳴動指示ＭRを、例えばそれぞれディジタルライン回路ＤＬ1およびディジタルライン回路ＤＬKを介して多機能電話機ＴＥＬ11および多機能電話機ＴＥＬK1に送信する。
【００５１】
ディジタルライン回路ＤＬ1およびディジタルライン回路ＤＬKは、着信鳴動指示ＭRの確認を実行し、それぞれ収容されている多機能電話機ＴＥＬ11および多機能電話機ＴＥＬK1に着信鳴動指示ＭRの通知を行う。
【００５２】
また、制御装置５は、多機能電話機ＴＥＬ11および多機能電話機ＴＥＬK1に対して、着信呼の発信者を識別するための相手先電話番号、名前、着信表示を行うためのランプ情報などの情報を着信検出時に、ディジタルライン回路ＤＬ1およびディジタルライン回路ＤＬKを介して通知する。
【００５３】
図５はこの発明に係る周期性タイミングカウンタの同期を取得するための一実施の形態シーケンス図である。図５において、制御装置５は、定期的に同期情報ＪSをそれぞれディジタルライン回路ＤＬ1およびディジタルライン回路ＤＬKを介して多機能電話機ＴＥＬ11および多機能電話機ＴＥＬK1に通知する。
【００５４】
多機能電話機ＴＥＬ11および多機能電話機ＴＥＬK1は、それぞれ同期情報ＪSを受信したタイミングで周期性タイミングカウンタ９をリセットすることにより、多機能電話機相互間の同期を取ることができる。
【００５５】
なお、図４および図５では、ディジタルライン回路ＤＬ1と多機能電話機ＴＥＬ11、およびディジタルライン回路ＤＬKと多機能電話機ＴＥＬK1について説明したが、ディジタルライン回路ＤＬ1〜ＤＬPおよび多機能電話機ＴＥＬ12〜ＴＥＬpnについても同様である。
【００５６】
図６はこの発明に係る周期性タイミングの一実施の形態同期取得説明図である。図６において、例えば多機能電話機ＴＥＬ11の周期性タイミングＴSが３カウントにある場合、多機能電話機ＴＥＬK1の周期性タイミングＴSが４カウントにあり、多機能電話機ＴＥＬP1の周期性タイミングＴSが５カウントにあって、同様に他の多機能電話機ＴＥＬ12〜ＴＥＬpnもそれぞれ周期性タイミングＴSのカウントがずれているものと想定する。
【００５７】
この時点で、構内交換機２から同期情報ＪSが供給されると、多機能電話機ＴＥＬ11〜ＴＥＬpnの周期性タイミングカウンタ９は、全てリセットされ、周期性タイミングＴSが０カウントから再度カウントを開始することにより、多機能電話機ＴＥＬ11〜ＴＥＬpnの全ての周期性タイミングカウンタ９の同期が取れることになる。
【００５８】
図７はこの発明に係る着信鳴動一致の一実施の形態動作説明図である。図７において、同期情報ＪSを受信して多機能電話機ＴＥＬ11〜ＴＥＬpnの周期性タイミングカウンタ９の同期が確立するので、周期性タイミングＴSの同期が取れることになる。
【００５９】
周期性タイミングＴSの同期が取れると、周期性タイミングＴSに対応させた整数分の１（１／ｎ）周期の鳴動周期タイミングＴR（例えば、０〜３１カウント）も多機能電話機ＴＥＬ11〜ＴＥＬpnで一致し、着信鳴動パターンＰR（破線表示）も全ての多機能電話機で一致することになる。ただし、着信鳴動パターンＰRは、鳴動周期タイミングＴRの０カウントから鳴動（着信音発生）を開始して、例えば１ｓ（秒）間鳴動し、その後１ｓ（秒）間（３１カウントまで）鳴動停止するパターンを繰り返す。
【００６０】
なお、着信鳴動パターンＰRは、各多機能電話機が構内交換機２から着信鳴動指示ＭRを受信してから鳴動周期タイミングＴRが３１カウントまで待機し、０カウントから鳴動を開始することである。
【００６１】
多機能電話機ＴＥＬ11は、鳴動周期タイミングＴRの３０カウントの時間ｔ１で着信（着信鳴動指示ＭRを受信）すると、２カウント待機して着信鳴動パターンＰRを実行する。
【００６２】
多機能電話機ＴＥＬK1は、多機能電話機ＴＥＬ11より遅れて、多機能電話機ＴＥＬ11の鳴動（着信音発生）中の鳴動周期タイミングＴRが２カウントの時間ｔ２で着信（着信鳴動指示ＭRを受信）すると、鳴動周期タイミングＴRの３１カウントまで待機し、鳴動周期タイミングＴRの次の０カウントから鳴動を開始する。
【００６３】
多機能電話機ＴＥＬP1は、多機能電話機ＴＥＬK1より遅れて、多機能電話機ＴＥＬK1の鳴動開始（鳴動周期タイミングＴRの０カウント）の時間ｔ３で着信（着信鳴動指示ＭRを受信）すると、時間ｔ３から直ちに鳴動を開始する。
【００６４】
したがって、多機能電話機ＴＥＬK1と多機能電話機ＴＥＬP1は、着信鳴動指示ＭRを受信するタイミングがずれていても、鳴動開始は同じになる。
【００６５】
また、多機能電話機ＴＥＬ11、多機能電話機ＴＥＬK1および多機能電話機ＴＥＬP1は、着信鳴動パターンＰRの鳴動（着信音発生）と鳴動停止（着信音停止）が同じタイミングになるので、時間ｔ３以降の鳴動（着信音発生）と鳴動停止（着信音停止）が一致することになる。
【００６６】
以上説明したように、この発明に係る電話交換システム１において、構内交換機２は、定期的に内線端末（多機能電話機ＴＥＬ11〜ＴＥＬpn）の着信鳴動の鳴動および鳴動停止のインターを同期させるための同期情報ＪSを出力するとともに、着信呼を受信した場合、該当する内線端末（多機能電話機ＴＥＬ11〜ＴＥＬpn）に、着信鳴動指示ＭRを出力する制御装置５を備え、複数の内線端末（多機能電話機ＴＥＬ11〜ＴＥＬpn）は、構内交換機２から供給される同期情報ＪSに着信音の鳴動開始タイミングを合わせ、着信鳴動を実行する着信鳴動同期手段６を備えたので、同期情報ＪSに基づいて複数の内線端末（多機能電話機ＴＥＬ11〜ＴＥＬpn）の着信鳴動に関する同期を取り、着信鳴動指示ＭRを受信するタイミングが異なっても、着信鳴動の鳴動（着信音発生）と鳴動停止（着信音停止）のインター（時間間隔）を着信鳴動している全ての内線端末で一致させることができ、着信鳴動の鳴動（着信音）と鳴動停止（着信音停止）の区別が明確になり、違和感のない着信鳴動を聞くことが可能になる。
【００６７】
次に、電話交換システムの着信鳴動同期方法について説明する。図８はこの発明に係る電話交換システムの着信鳴動同期方法の一実施の形態要部動作フロー図である。なお、動作フローは、図３を参照にして説明する。
【００６８】
図８において、ステップＳ１では、構内交換機から同期情報を受信する。なお、ステップＳ１の動作は、リセット手段１２が実行する。
【００６９】
ステップＳ２では、同期情報に基づいて全内線端末が周期性タイミングカウンタをリセットし、周期性タイミングの同期を取る。なお、ステップＳ２の動作は、周期性タイミングカウンタ９が実行する。
【００７０】
ステップＳ３では、周期性タイミングに対応させた整数分の１（１／ｎ）周期の鳴動周期タイミングを発生する。なお、ステップＳ３の動作は、鳴動周期カウンタ１０が実行する。
【００７１】
ステップＳ４では、構内交換機から着信鳴動指示を受信する。なお、ステップＳの動作は、鳴動周期カウンタ１０が実行する。
【００７２】
ステップＳ５では、着信鳴動指示の開始タイミングが鳴動周期タイミングに一致するか否かを判定する。なお、ステップＳ５の動作は、着信鳴動パターン発生手段１１が実行する。
【００７３】
ステップＳ６では、鳴動周期を鳴動および鳴動停止のインターにして、着信鳴動パターンで着信鳴動を発生する。なお、ステップＳ６の動作は、着信鳴動パターン発生手段１１が実行する。
【００７４】
ステップＳ７では、鳴動周期タイミングの初期値まで待機させ、着信鳴動パターンで着信鳴動を発生する。なお、ステップＳ７の動作は、着信鳴動パターン発生手段１１が実行する。
【００７５】
ステップＳ８では、着信呼に応答すると、着信鳴動を停止する。なお、ステップＳ８の動作は、多機能電話機ＴＥＬ11〜ＴＥＬpnのハンドセットＨＳ（図２参照）や電話機制御手段（図示せず）で実行する。
【００７６】
このように、この発明に係る電話交換システムの着信鳴動同期方法は、構内交換機から同期情報を受信するステップＳ１と、同期情報に基づいて全内線端末が周期性タイミングカウンタをリセットし、周期性タイミングの同期を取るステップＳ２と、周期性タイミングに対応させた整数分の１（１／ｎ）周期の鳴動周期タイミングを発生するステップＳ３と、構内交換機から着信鳴動指示を受信するステップＳ４と、着信鳴動指示の開始タイミングが鳴動周期タイミングに一致するか否かを判定するステップＳ５と、一致する場合には、鳴動周期を鳴動および鳴動停止のインターにして、着信鳴動パターンで着信鳴動を発生するステップＳ６と、一致しない場合には、鳴動周期タイミングの初期値まで待機させ、着信鳴動パターンで着信鳴動を発生するステップＳ７と、着信呼に応答すると、着信鳴動を停止するステップＳ８とを備えたので、同期情報に基づいて複数の内線端末の着信鳴動に関する同期を取り、着信鳴動指示を受信するタイミングが異なっても、着信鳴動の鳴動（着信音発生）と鳴動停止（着信音停止）のインター（時間間隔）を着信鳴動している全ての内線端末で一致させることができ、着信鳴動の鳴動（着信音）と鳴動停止（着信音停止）の区別が明確になり、違和感のない着信鳴動を聞くことが可能になる。
【産業上の利用可能性】
【００７７】
この発明に係る電話交換システムは、内線端末相互間で、着信鳴動指示のタイミングがずれても、着信鳴動の開始と終了を同期させ、着信鳴動が違和感なく聞こえるものであり、内線端末相互間の着信鳴動を一致させたいあらゆる電話交換システムに適用することができる。
【図面の簡単な説明】
【００７８】
【図１】この発明に係る電話交換システムの一実施の形態システム構成図
【図２】この発明に係る多機能電話機の一実施の形表面外観図
【図３】この発明に係る多機能電話機の着信鳴動同期手段の一実施の形態要部ブロック構成図
【図４】この発明に係る多機能電話機が着信鳴動指示を受信するまでの一実施の形態シーケンス図
【図５】この発明に係る周期性タイミングカウンタの同期を取得するための一実施の形態シーケンス図
【図６】この発明に係る周期性タイミングの一実施の形態同期取得説明図
【図７】この発明に係る着信鳴動一致の一実施の形態動作説明図
【図８】この発明に係る電話交換システムの着信鳴動同期方法の一実施の形態要部動作フロー図
【図９】従来の内線端末の着信鳴動の例
【符号の説明】
【００７９】
１    電話交換システム
２    構内交換機
３    通話路スイッチ
４    記憶装置
５    制御装置
６    着信鳴動同期手段
７    基準クロック発生手段
８    分周手段
９    周期性タイミングカウンタ
１０    鳴動周期カウンタ
１１    着信鳴動パターン発生手段
１２    リセット手段
ＢＬ    回線釦
ＤＬ１〜ＤＬP    ディジタルライン回路
ＣＯＴ    局線トランク
ＢＲＩ    ディジタル局線トランク
ＴＥＬ11〜ＴＥＬpn    多機能電話機
ＨＳ    ハンドセット
ＤＹ    表示器
ＫＬ    回線釦
ＳＰ    スピーカ
ＮＴ    公衆網
ＢＵ    制御バス
ＰR    着信鳴動パターン
ＣLK    基準クロック
ＣLT    一定タイミングクロック
ＪR    リセット情報
ＴS    周期性タイミング
ＪS    同期情報
ＭR    着信鳴動指示
ＶS    鳴動周期タイミングの初期値
ＴR    鳴動周期タイミング
【図１】
2007306376.tif 000003
【図２】
2007306376.tif 000004
【図３】
2007306376.tif 000005
【図４】
2007306376.tif 000006
【図５】
2007306376.tif 000007
【図６】
2007306376.tif 000008
【図７】
2007306376.tif 000009
【図８】
2007306376.tif 000010
【図９】
2007306376.tif 000011